(57)【要約】 【課題】  運搬や保管、さらには穴の加工深さの正確さの点で、従来よりも好ましい天井アンカーボルトの施工装置を提供する。【解決手段】  床面上に立てるスタンド２０の上部にドリル１０を有し、そのドリル１０を用いて天井のコンクリート面にアンカーボルトの取付け穴をあける施工装置であって、上記のスタンド２０が、下段支柱２１と、その上方に分離可能に接続されていて昇降操作される上段支柱２３とを有し、その上段支柱２３に上記のドリル１０が支持されていることを特徴とする。【選択図】  図１
0003172725.tif 000002
【実用新案登録請求の範囲】
【請求項１】
床面上に立てるスタンドの上部にドリルを有し、そのドリルを用いて天井のコンクリート面にアンカーボルトの取付け穴をあける天井アンカーボルトの施工装置であって、
上記のスタンドが、下段支柱と、その上方に分離可能に接続されていて昇降操作される上段支柱とを有し、その上段支柱に上記のドリルが支持されていることを特徴とする天井アンカーボルトの施工装置。
【請求項２】
上記スタンドにおける下段支柱の上部に、取付け高さを変更して下段支柱に分離可能に固定できる中段支柱が接続され、その中段支柱に対して昇降操作されるように上記の上段支柱が接続されていること、
および、上段支柱の下部に引き上げ用ワイヤが連結されていて、当該ワイヤが、中段支柱の上部に設けられた定滑車を介して、下段支柱または中段支柱に設けられた巻取リールに接続され、当該巻取リールにてそのワイヤが巻き取り・巻き出しされることにより上段支柱が昇降操作されることを特徴とする請求項１に記載した天井アンカーボルトの施工装置。
【請求項３】
上記スタンドの下段支柱の最下部に、床面上に放射状に広がる複数本の脚部が設けられていて、それぞれの脚部が、上記のとおり広がった状態から下段支柱と平行に近くなる向きに角度変更可能であることを特徴とする請求項１または２に記載した天井アンカーボルトの施工装置。
【請求項４】
上記それぞれの脚部について長さ変更も可能であることを特徴とする請求項３に記載した天井アンカーボルトの施工装置。
【請求項５】
上記スタンドの上段支柱に、上方への突出高さを調整可能な棒状のゲージが取り付けられていて、そのゲージによって、上記ドリル工具による穴あけ深さの限度を設定することを特徴とする請求項１〜４のいずれかに記載した天井アンカーボルトの施工装置。
【考案の詳細な説明】
【技術分野】
【０００１】
請求項に係る考案は、天井のコンクリート面に、そのコンクリートが固化した後にアンカーボルト（あと施工のアンカーボルト）の取付け穴をあける、天井アンカーボルトの施工装置に関するものである。
【背景技術】
【０００２】
コンクリート製の天井部分に照明器具や配管、パネル等を取り付けるために、いわゆるあと施工のアンカーボルトが利用されることがある。あと施工のアンカーボルトは、すでに打設されて固化したコンクリートに、取付け穴をあけたうえそこに押し込む等することによって、抜けない状態に取り付けるボルトである。アンカーボルトの施工には、まず、使用するボルトのサイズ等に適した径と深さの穴をドリルによってあけ、その穴にアンカーボルトを、打ち込んだり（打込みアンカーの場合）、締め込んだり（締付けアンカーの場合）、あるいは接着剤を使用したり（ケミカルアンカーの場合）して取り付ける。
【０００３】
アンカーボルトを床や壁に取り付ける場合、取付け穴は、一般的な方法でドリルを使用することにより形成できるが、作業員の手が届かない天井に取り付ける場合には、床面からほぼ天井に届く程度の高さを有するスタンドを利用して取付け穴をあけるのが効率的である。
下記の特許文献１には、天井のコンクリート面に穴をあけるとき使用できる、スタンド付きの施工装置が記載されている。特許文献１のその装置は、図４のとおり構成されたものである。すなわち、スタンド２０’に対して上下にスライド可能なようにハンマードリル１０’が取り付けられ、そのドリル１０’が、スタンド２０’上の定滑車に掛けられたワイヤ３０’によってウインチ３１’に接続されている。ウインチ３１’を巻き上げてワイヤ３０’によりドリル１０’を上昇させるとともに、ドリルビット１１’を回転させると、天井のコンクリート面Ａにアンカーボルトの取付け穴をあけることができる。
【先行技術文献】
【特許文献】
【０００４】
【特許文献１】特開２００７−９４０５号公報
【考案の概要】
【考案が解決しようとする課題】
【０００５】
上記した特許文献１の施工装置には、下記の点で改善の余地がある。すなわち、
イ) ドリル１０’を支持し昇降させるスタンド２０’が、床面からほぼ天井までの高さを有する一体の部材で構成されているため、運搬や保管にスペースを要する。つまり、２〜３メートルの長さを有する分解不能な一体の支柱によってスタンド２０’が構成されているため、装置の運搬等の際に大きめのトラックが必要になるなど、取扱い上の不利がともなう。
ロ) 床面上に安定的に立たせるためにスタンド２０’の最下部にはベースプレート４０’が設けられているが、そのベースプレート４０’も、運搬や保管に関連して不利をまねきやすい。すなわち、使用中のスタンド２０’の安定性のためには、床面上に（つまりスタンド２０’と直角の方向に）ベースプレート４０’が大きく広がっているのが好ましいが、そうなるとスタンド２０’の長さと直角な方向への張り出しが大きくなるため、コンパクトな状態で装置を運搬・保管することができない。
ハ) 特許文献１の施工装置には、アンカーボルトの取付け穴について加工深さを設定する手段が付属していない。そのため操作に熟練を要するうえ、つねに最適な深さの穴があけられるとは限らない。
【０００６】
本考案は、以上のような点を改善することにより、運搬や保管、さらには穴の加工深さの正確さの点で従来よりも好ましい天井アンカーボルトの施工装置を提供しようとするものである。
【課題を解決するための手段】
【０００７】
考案による天井アンカーボルトの施工装置は、
・  床面上に立てるスタンドの上部にドリルを有し、そのドリルを用いて天井のコンクリート面にアンカーボルトの取付け穴をあける装置であって、
・  上記のスタンドが、下段支柱と、その上方に分離可能に接続されていて昇降操作される上段支柱とを有し、その上段支柱に上記のドリルが支持されているものである。
この施工装置では、床面上にスタンドを立て、上段支柱を昇降操作することによってドリルを上昇させながらドリルビットを回転させることにより、天井のコンクリート面にアンカーボルトの取付け穴をあけることができる。
この装置によれば、前掲の特許文献１に記載の装置と同様にアンカーボルトの取付け穴を天井に加工することができる一方、使用前後の装置の運搬や保管をきわめて容易に行える。その理由は、下記a)・b)のようにスタンドを短くすることができ、それによって運搬手段や保管場所に関する制約がなくなるからである。すなわち、
a)  下段支柱に対して上段支柱が昇降操作され得ることから、上段支柱を十分に下降させてその大部分が下段支柱の高さの範囲と重なるようにすれば、スタンド全体の長さを短縮することができる。
b)  下段支柱から上段支柱を分離させれば、スタンドが各支柱別に分解された状態となり、運搬等すべき部材がさらに短くなる。
【０００８】
上記の施工装置については、
・  上記スタンドにおける下段支柱の上部に、取付け高さを変更して下段支柱に分離可能に固定できる中段支柱が接続され、その中段支柱に対して昇降操作されるように上記の上段支柱が接続されていること、
・  および、上段支柱の下部に引き上げ用ワイヤが連結されていて、当該ワイヤが、中段支柱の上部に設けられた定滑車を介して、下段支柱または中段支柱に設けられた巻取リールに接続され、当該巻取リールにてそのワイヤが巻き取り・巻き出しされることにより上段支柱が昇降操作されること
をさらに特徴とするのが、とくに好ましい。
それはつぎの理由による。
a)  上記スタンドが下段支柱と上段支柱のほかに中段支柱をも接続されて構成されているため、上段支柱および中段支柱の高さ位置を下げたり、上段支柱・中段支柱をそれぞれ下段支柱から分離させたりした場合、スタンドの長さ（または運搬等する部材の長さ）をとくに短くすることができ、使用前後の運搬や保管が一層容易になる。
b)  下段支柱の上部に、取付け高さを変更して固定できる中段支柱が接続され、その中段支柱に対して昇降操作されるように上段支柱が接続されているので、上段支柱の昇降範囲を小さくしながらも、高めの天井から低めの天井にまで広く対応できる装置となる。中段支柱を含まない場合には、上段支柱の昇降範囲を大きくとらないと天井の各高さに広く対応させることは難しいが、昇降範囲を大きくすると一般に上段支柱がガタついて不安定になりやすい。しかし、上記のように取付け高さを変更し固定できる中段支柱を接続するなら、天井の各高さに広く対応させ得るとともに、上段支柱の昇降範囲を小さくしてそのガタつきを抑制することが容易である。
c)  下段支柱または中段支柱に対し上段支柱を昇降操作させる手段として上記のとおりワイヤとその巻取リールおよび定滑車を使用するので、装置が簡単かつ低コストに構成される。上段支柱を昇降操作するには、電動ネジや流体圧シリンダなど各種の機器を使用できるが、上記のように巻取リール等を採用すると、構造が簡単であるうえ、当該リールを手動で回転操作するようにすることもでき、コスト等の面で大幅に有利である。
【０００９】
また、上記の施工装置は、上記スタンドの下段支柱の最下部に、床面上に（したがってスタンドの長さ方向と直角の方向に）放射状に広がる複数本の脚部が設けられていて、それぞれの脚部が、上記のとおり広がった状態から下段支柱と平行に近くなる向きに角度変更可能であるものなら、さらに好ましい。
使用前後に装置を運搬・保管等する際、上記の脚部を下段支柱と平行に近くなる向きに角度変更させると、下段支柱の長さ方向と直角の方向への当該脚部の広がりを小さくすることができ、コンパクトな状態で運搬や保管をすることが可能だからである。
【００１０】
上記それぞれの脚部について長さの変更も可能であるなら、さらに好ましい。
脚部の長さを変更できると、使用中のスタンドの安定性のために各脚部を伸ばして長くする一方、使用後に運搬等する際には各脚部を短くしてコンパクトに取り扱うことができる。中段支柱や上段支柱を高い位置にして使用する場合等に各脚部をとくに長くしてスタンドの安定性を増すことも可能である。
【００１１】
上記スタンドの上段支柱に、上方への突出高さを調整可能な棒状のゲージが取り付けられていて、そのゲージによって、上記ドリル工具による穴あけ深さの限度を設定するようにするなら、穴の加工深さを正確に設定できるというメリットもともなう。
そのようなゲージを有する場合、ドリルビットの上端（先端）とゲージの上端との高さの差が穴あけ深さの適正値であるように、ゲージの突出高さを設定しておけばよい。昇降操作する上段支柱が上昇してドリルビットが天井に穴をあけるとき、ゲージの上端が天井のコンクリート面に当たった時点で上昇を止めれば、ドリルビットがあける穴（アンカーボルトの取付け穴）は必ず適正深さになるからである。
【考案の効果】
【００１２】
考案の施工装置は、使用前後の寸法を小さくすることができるので、運搬や保管をするうえで従来のものより大幅に有利である。また、穴の加工深さを正確に設定できるという利点を持たせることも可能である。
【図面の簡単な説明】
【００１３】
【図１】考案による天井アンカーボルトの施工装置１について、全体を示す斜視図である。
【図２】図１の施工装置１のうち上半部分を示す正面図である。
【図３】図１の施工装置１のうち下半部分を示す正面図である。
【図４】従来の（特許文献１に記載された）施工装置を示す正面図である。
【考案を実施するための形態】
【００１４】
考案による天井アンカーボルトの施工装置について一例を図１〜図３に示す。
図示の施工装置１は、床面上に鉛直に立てるスタンド２０の上部にドリル１０を設けたもので、そのドリル１０のドリルビット１１によって、天井のコンクリート面にアンカーボルトの取付け穴をあけることができる。天井における固化ずみのコンクリート面に照明器具や配管、パネル等を取り付ける際、この装置を用いてコンクリート面に穴をあける。その穴（取付け穴）にアンカーボルトを取り付けて、当該アンカーボルトで照明器具等を支持させるわけである。アンカーボルトとしては、打込みアンカーや締付けアンカー、ケミカルアンカーなど、いわゆるあと施工用のものを使用できる。
【００１５】
施工装置１はつぎのとおり構成している。すなわち、
まず、図１に示すように、スタンド２０は、床面上に広がるよう最下部に４本の脚部４０を放射状に設け、それら脚部４０の中央部分に上向きに支柱部２０ａを連結したものである。ドリル１０は、支柱部２０ａの最上部に、ドリルビット１１を上に向けて取り付けている。
【００１６】
支柱部２０ａは、分離可能な三つの支柱を接続して構成し、脚部４０の上に連結された下段支柱２１と、その上の中段支柱２２、およびさらにその上の上段支柱２３とをそれに含めている。各支柱２１・２２・２３は角形パイプによって形成しており、中段支柱２２は、下段支柱２１の内側中空部に下部を挿入し、下段支柱２１からの突出長さを変更したうえ留めボルト２２ａを締め付ける（下段支柱２１上のボルト２２ａの先端を中段支柱２２に押し当てる）ことによって下段支柱２１に固定できるようにしている。上段支柱２３は、中段支柱２２の内側中空部に下部を挿入し、中段支柱２２に対し上下方向にスライド可能なようにしたうえ、下記のとおり昇降操作されるように構成している。
【００１７】
上段支柱２３を昇降操作されるようにするためには、図２のように上段支柱２３の下端部付近にワイヤ３０を連結し、そのワイヤ３０を、中段支柱２２の上部に設けた定滑車（回転ローラ）３２に掛けたうえ、下段支柱２１上に設けた巻取リール（ウインチ）３１に接続している。巻取リール３１は、支持枠３１ａによって下段支柱２１に取り付けたもので、ハンドル３１ｂにより手動で回転させることができる。ハンドル３１ｂを図示右回りに回してワイヤ３０を巻き取ると、下段支柱２１およびそれに固定された中段支柱２２に対して上段支柱２３を上昇させることができる。
【００１８】
上段支柱２３の最上部には支持枠１２を取り付け、その支持枠１２にドリル１０のボディを支持させている。上段支柱２３に対する支持枠１２の取り付けは、支持枠１２と一体にその下部に設けた角形パイプ１３を上段支柱２３にかぶせたうえ、外側から留めボルト１３ａを締め付けることにより行っている。
【００１９】
ドリル１０を支持させている上記の支持枠１２には、ドリルビット１１による上記取付け穴の深さ設定を可能にするゲージ１４を取り付けている。ゲージ１４は、支持枠１２を上下に通って鉛直方向に長さを有する棒状の部材であり、留めボルト１４ａを締め込むと支持枠１２に固定することができる。ゲージ１４を上方に引き出したうえ、ドリルビット１１の上端（先端）とゲージ１４の上端との高さの差が穴あけ深さの適正値と一致するようにゲージ１４の突出高さを設定して留めボルト１４ａを締め込んでおけば、ドリルビット１１が加工する穴の深さは自ずと適正値になる。
【００２０】
脚部４０は、図１のとおり、支柱部２０ａを床面上に安定的に立てるよう放射状に４本をスタンド２０の最下部に設けたものである。それぞれの脚部４０は、図３のように屈曲および伸縮が可能なように構成している。すなわち、中央部にあって下段支柱２１を取り付ける土台部分４１の先に、ヒンジ４２ａを介して屈曲部分４２を連結し、屈曲部分４２に対して出し入れ可能なように伸縮部分４３を接続している。屈曲部分４２は、ヒンジ４２ａによって下面部分で土台部分４１に連結しているので、そのヒンジ４２ａを中心に、図３のように水平状態から鉛直に近い下向きの状態にまで屈曲することができる。屈曲部分４２は角形パイプで構成し、その内側中空部に伸縮部分４３を挿入したうえ留めボルト４３ａで固定できるようにしたので、脚部４０は、それぞれの長さを自在に設定することも可能である。なお、伸縮部分４３の各下部にはキャスター４３ｂを取り付けている。
【００２１】
以上の構成を有する図示の施工装置１によれば、天井のコンクリート面にアンカーボルトの取付け穴を加工する作業を、つぎの要領で行うことができる。
1)  まず、施工装置１を組み立てる。すなわち、脚部４０の屈曲部分４２を水平に広げて床面上に置き、伸縮部分４３を適宜に伸ばしてスタンド２０の安定性を十分確保したうえ、土台部４１の上に支柱部２０ａを組み付ける。支柱部２０ａは、前記のように下段支柱２１に対する中段支柱２２の高さ位置を、天井の高さに応じ適切に定めて留めボルト２２ａで固定したうえ、ワイヤ３０をも用いて上段支柱２３を昇降操作可能に接続する。そして上段支柱２３の最上部には、ドリル１０とゲージ１４とを有する支持枠１２を取り付ける。
【００２２】
2)  つぎに、施工装置１とドリル１０の位置決めをする。すなわち、脚部４０のキャスター４３ｂを利用して施工装置１を移動させ適切な位置に固定するとともに、巻取リール３１とワイヤ３０によりドリル１０等を上昇させて、ドリルビット１１の先端をコンクリート面の穴あけ位置に接触させる。このとき、ゲージ１４の突出高さを適切に定めることにより、穴あけ深さを設定しておくとよい。
【００２３】
3)  ドリル１０を駆動して穴あけを行う。すなわち、電源スイッチ（図示省略）をＯＮにすることによりドリル１０（のモータ）を駆動してドリルビット１１を回転させ、巻取リール３１をハンドル３１ｂで回してワイヤ３０により上段支柱２３とともにドリル１０・ゲージ１４を上昇させる。穴あけ加工が進むと、ゲージ１４の上端がコンクリート面に当たった時点でハンドル３１ｂの操作を止めてドリル１０等を下降させ、穴あけ加工を終える。
【００２４】
4)  加工した取付け穴にアンカーボルトを取り付ける作業は、別途行ってもよいが、それぞれの穴あけ加工に続けて行ってもよい。アンカーボルトを取り付ける場合、取付け穴への挿入は作業員が脚立等に上って行うとよい。そのアンカーボルトの固定は、たとえばアンカーボルトが締付けアンカーである場合、ドリルビット１１に替えて締付け具（図示省略）をドリル１０に取り付け、それを用いてアンカーボルトの締め込みを行うことができる。アンカーボルトが打込みアンカーであるときは、脚立等に上がった作業員がハンマーで叩いて打ち込むことができる。
【００２５】
5)  上記の2)〜4)を繰り返すことによって、天井の複数箇所にアンカーボルトの取付け穴を加工する（またはさらにアンカーボルトを取り付ける）。
【００２６】
6)  必要なすべての取付け穴の加工が終わると、図示の施工装置１をコンパクトにして運搬や保管に適した状態にする。つまり、まず上段支柱２３や中段支柱２２の位置を下げてそれぞれ下段支柱２１の中に引き込み、または各支柱２１・２２・２３間を分離させることにより、支柱部２０ａの取扱い長さを縮める。また、伸縮部分４３を屈曲部分４２内に引き入れるとともに屈曲部分４２を下方に（支柱部２０ａの中心線と平行に近くなる向きに）屈曲させて、水平方向への脚部４０の張り出しを小さくする。ドリル１０とゲージ１４とを含む支持枠１２を上段支柱から取り外すことも可能である。
【００２７】
以上のように、図示の施工装置１によると、アンカーボルトの取付け穴を天井のコンクリート面に円滑に加工できるとともに、使用の前後において装置をコンパクトにすることができ、その運搬や保管がきわめて容易に行える。中段支柱２２を省略した、いわば簡易型の装置として構成することによっても、ほぼ同様のメリットがもたらされる。
【符号の説明】
【００２８】
１  施工装置
１０  ドリル
１１  ドリルビット
２０  スタンド
２０ａ  支柱部
２１  下段支柱
２２  中段支柱
２３  上段支柱
３０  ワイヤ
３１  巻取リール
３２  定滑車
４０  脚部
【図１】
0003172725.tif 000003
【図２】
0003172725.tif 000004
【図３】
0003172725.tif 000005
【図４】
0003172725.tif 000006